(57)【要約】【課題】大型化や強度上の問題を生じることなく、外力を受けた場合のカム係合の外れを回避できるレンズ装置を提供する。【解決手段】  カム部２１ａを有する第１の筒部材２１と、該カム部に係合するカムフォロワ２を有する第２の筒部材１とが、光軸回りでの相対回転によって光軸方向に相対移動する。第１の筒部材は、カム部よりも像側の領域に、物体側を向いた第１の当接面２１ｅを有し、第２の筒部材は、第１の当接面に対して物体側から当接可能な第２の当接面１ｉを有する。【選択図】図１２
2007219394.tif 000002
【特許請求の範囲】
【請求項１】
カム部を有する第１の筒部材と、前記カム部に係合するカムフォロワを有する第２の筒部材とが、光軸回りでの相対回転によって光軸方向に相対移動するレンズ装置であって、
前記第１の筒部材は、前記カム部よりも像側の領域に、物体側を向いた第１の当接面を有し、
前記第２の筒部材は、前記第１の当接面に対して物体側から当接可能な第２の当接面を有することを特徴とするレンズ装置。
【請求項２】
前記第２の当接面は、前記第１および第２の筒部材の相対回転位置に応じて光軸方向位置が異なる複数の面により構成されていることを特徴とする請求項１に記載のレンズ装置。
【請求項３】
前記複数の面のうち少なくとも１つの面と前記第１の当接面との間のクリアランスが、他の面と該第１の当接面との間のクリアランスと異なることを特徴とする請求項２に記載のレンズ装置。
【請求項４】
前記第１の当接面は、前記第１の筒部材の周壁面上に径方向に突出するよう形成された第１の突起部の物体側の端面であり、
前記第２の当接面は、前記第２の筒部材の周壁部の径方向厚み内に形成された像側を向いた面であることを特徴とする請求項１から３のいずれか１つに記載のレンズ装置。
【請求項５】
前記第１の筒部材は前記第２の筒部材の内側に配置されており、
前記第２の筒部材の周壁部における内周側部分に、前記第１の突起部が移動する空間を形成するための凹部が形成されていることを特徴とする請求項４に記載のレンズ装置。
【請求項６】
前記第１および第２の筒部材の径方向において、前記第１および第２の当接面の当接量が、前記カム部と前記カムフォロワとの係合量以上であることを特徴とする請求項１から５のいずれか１つに記載のレンズ装置。
【請求項７】
請求項１から６のいずれか１つに記載のレンズ装置を備えたことを特徴とする撮像装置。
【発明の詳細な説明】
【技術分野】
【０００１】
本発明は、カムによる伸縮構造を有するレンズ装置およびこれを備えた撮像装置に関する。
【背景技術】
【０００２】
この種のレンズ装置には、固定筒と、該固定筒の内周に形成されたカム部によって光軸方向に駆動される移動カム環とを有するものがある。このようなレンズ装置においては、光軸方向前方（物体側）から外力が作用した場合でも、固定筒と移動カム環との係合が外れないように対策が施されることが多い。
【０００３】
例えば、特許文献１には、移動カム環の外周に突起部が設けられ、固定筒の内周に、移動カム環の突起部と当接可能な突起部が設けられたレンズ装置が開示されている。移動カム環に前方から衝撃等の外力が作用すると、上記突起部同士が当接することでその外力を吸収し、移動カム環が固定筒のカム部から外れることが防止される。
【０００４】
また、特許文献２には、光軸方向に移動する移動筒を、レンズを保持するための筒本体とカムフォロワを支持する支持板とにより構成し、支持板におけるカムフォロワの近傍にヒンジ溝を設けたレンズ装置が開示されている。このレンズ装置では、移動筒に前方から外力が作用すると、カムフォロワが倒される力によってヒンジ溝の部分で支持板が屈曲するようにして、カムフォロワがカムから外れにくくしている。
【特許文献１】特開２００１−３２４６６３号公報（段落００３１、図１０等）
【特許文献２】特開２００４−１２５９７１号公報（段落００１５〜００１６、図３等）
【発明の開示】
【発明が解決しようとする課題】
【０００５】
しかしながら、特許文献１にて開示されたレンズ装置では、固定筒の突起部が、該固定筒におけるカム部の最も物体側の部分よりもさらに物体側に設けられている。このため、固定筒には、カム部を形成するための光軸方向長さに加えて、突起部を形成するための光軸方向長さが必要になり、固定筒の光軸方向長さが大きくなってしまう。また、固定筒の突起部が該固定筒の内周面から突出し、移動カム環の突起部が該移動カム環の外周面から突出しているため、固定筒の内周面と移動カム環の外周面との間に大きな隙間ができ、レンズ装置の外径寸法の増加にもつながっている。
【０００６】
さらに、特許文献２においては、衝撃力が大きいと支持板におけるヒンジ溝部分が屈曲限界を超えてしまい、ヒンジ溝部分の破損が生じやすいという問題がある。
【０００７】
そこで、本発明は、大型化や強度上の問題を生じることなく、外力を受けた場合のカム係合の外れを回避できるようにしたレンズ装置およびこれを備えた撮像装置を提供することを目的の１つとしている。
【課題を解決するための手段】
【０００８】
本発明の一側面としてのレンズ装置は、カム部を有する第１の筒部材と、該カム部に係合するカムフォロワを有する第２の筒部材とが、光軸回りでの相対回転によって光軸方向に相対移動するレンズ装置である。そして、第１の筒部材は、カム部よりも像側の領域に、物体側を向いた第１の当接面を有し、第２の筒部材は、第１の当接面に対して物体側から当接可能な第２の当接面を有することを特徴とする。
【０００９】
なお、上記レンズ装置を備えた撮像装置も本発明の他の側面を構成する。
【発明の効果】
【００１０】
本発明によれば、大型化や強度上の問題を生じることなく、外力を受けた際の第２の筒部材に設けられたカムフォロワの第１の筒部材に設けられたカム部からの外れを確実に防止することができる。
【発明を実施するための最良の形態】
【００１１】
以下、本発明の実施例について図面を参照しながら説明する。
【実施例１】
【００１２】
図１５には、本発明の実施例１であるレンズ鏡筒（レンズ装置）を備えた撮像装置としてのデジタルスチルカメラの外観を示している。
【００１３】
図１５において、１００はカメラであり、１０１はカメラボディである。１０２は該カメラのメインスイッチであり、電源の投入および遮断を切り替えるスイッチである。１０３は撮影スイッチであり、半押し操作によって測光、測距（ＡＦ）等の撮影準備動作を行わせ、全押し操作によって画像の撮影および記録を行わせるスイッチである。
【００１４】
１０４はフラッシュ発光部、１０５はファインダの対物窓、１０６は測光用の受光窓である。１１０は３段沈胴式レンズ鏡筒である。該レンズ鏡筒１１０は、メインスイッチ１０２のオフ状態では、カメラボディ１０１内に沈胴し、メインスイッチ１０２のオンによってカメラボディ１０１から突出し、ワイド状態となる。
【００１５】
１０７はズームレバーであり、これを回転操作することで、レンズ鏡筒１１０のズーム駆動を行わせることができる。レンズ鏡筒１１０は、ワイド端とテレ端との間で全長を変化させながら内部に配置された複数のレンズの位置を移動させ、ズーミングを行う。
【００１６】
なお、図１２には示さないが、カメラボディ１０１内には、レンズ鏡筒１１０内の撮影光学系により形成された被写体像を光電変換するＣＣＤセンサ、ＣＭＯＳセンサ等の撮像素子が搭載されている。
【００１７】
次に、図１から図１４を用いて、上述したレンズ鏡筒の具体的構成について説明する。図１から図６、図８、図１０から図１４において、矢印方向が物体側、その反対方向が像側である。図７および図９は、像側から見た図である。物体側とはカメラでは被写体側を意味する。像側とは、カメラにおいては撮像素子側を意味する。
【００１８】
まず、図１および図２を用いて、レンズ鏡筒のうち最も物体側の部分を構成する第１鏡筒ユニットおよび該第１鏡筒ユニットに搭載されるレンズバリアの構成について説明する。１は第１鏡筒（第２の筒部材）であり、第１レンズユニット５とレンズバリアを支持する。第１鏡筒１は、後述する第１カム筒２１（第１の筒部材：図４，５参照）の外周に配置され、該第１カム筒２１に対して物体側で光軸方向に移動する。
【００１９】
第１鏡筒１の像側の端部には、図２に示すように、像側を向いた段付きカム１ａが形成されている。段付きカム１ａは、第１カム筒２１に形成されたカム溝２１ａの軌跡（図５参照）に対応して光軸方向位置が段階的に変化する複数の平面部（第２の当接面）１ｉにより構成されている。言い換えれば、これら平面部１ｉは、第１鏡筒１に対する第１カム筒２１の回転位置によって決まるズームポジションに応じた、これら第１鏡筒１と第１カム筒２１との光軸方向での位置関係に対応した位置に形成されている。
【００２０】
これらの平面部１ｉのうちズームポジジョンに対応した１つの平面部は、第１鏡筒１が物体側から外力を受けた際に、第１鏡筒１に固定された３本のカムフォロワ２が第１カム筒２１に形成されたカム溝２１ａから外れる前に、第１カム筒２１に形成された衝撃吸収突起２１ｅの物体側の面（第１の当接面）に当接する。
【００２１】
複数の平面部１ｉのうち最も像側の面は、第１鏡筒１の周壁部から像側に突出した面として形成されている。また、複数の平面部１ｉのうち最も像側の面以外の面は、第１鏡筒１の周壁部における内周側の部分（以下、単に内周部という）に形成された凹部１ｈの奥側（物体側）の面として形成されている。また、第１鏡筒１の内周部における段付きカム１ａに周方向にて隣接する領域には、第１カム筒２１が沈胴位置とワイド端との間の非撮影領域で回転する際に、第１カム筒２１に設けられた突起部２１ｅが入り込む凹部１ｈ′が形成されている。該複数の平面部１ｉはすべて、第１鏡筒１の周壁部の径方向厚み内に形成された面である。
【００２２】
３本のカムフォロワ２は、図２に示すように、第１鏡筒１の内周面からテーパ部が突出するように周方向等間隔で、第１鏡筒１に圧入固定されている。カムフォロワ２のテーパ部は、第１カム筒２１のカム溝２１ａに対してガタがほとんど無い状態で係合する。これにより、第１鏡筒１が第１カム筒２１によって支持される。第１カム筒２１が回転することで、第１鏡筒１は第１カム筒２１におけるカム溝２１ａのリードに沿って光軸方向に移動する。
【００２３】
このとき、カムフォロワ２におけるテーパ部とは反対側は、第１鏡筒１の外周面から突出する回転阻止部２ａとなっている。この回転阻止部２ａは、後述する第１直進筒２２（図４参照）の直進溝２２ａに係合しているので、第１鏡筒１は回転することなく光軸方向に移動する。
【００２４】
３はサブフォロワであり、カムフォロワ２よりも物体側に設けられている。３本のサブフォロワ３は、カムフォロワ２と同様に、第１鏡筒１の内周面からテーパ部が突出するように周方向等間隔で配置され、第１鏡筒１に圧入によって固定されている。サブフォロワ３のテーパ部は、第１カム筒２１のカム溝２１ｂと所定のガタを有した状態で係合する。これにより、第１鏡筒１が物体側から外力を受けた際に、カムフォロワ２が第１カム筒２１のカム溝２１ａに対して押圧されてカム溝２１ａに傷がつかないようにしている。
【００２５】
第１レンズユニット５は、撮影光学系のうち最も物体側配置されたレンズユニットであり、第１鏡筒１における開口部１ｂが形成された第１レンズ収納室１ｃ内に収納されて接着されている。第１レンズユニット５は、第１鏡筒１と一体で光軸方向に移動する。
【００２６】
６はバリア駆動部材であり、第１鏡筒１の内周部のうち像側の部分にバヨネット結合によって回転可能に取り付けられている。バリア駆動部材６も、第１鏡筒１と一体で光軸方向に移動する。レンズ鏡筒がワイド端ポジションから沈胴位置に向かって沈胴動作する際に、バリア駆動部材６に像側に向かって延びるよう形成された２箇所の突起部６ａが第１カム筒２１の駆動端面２１ｇと当接し、第１カム筒２１の回転に追従してこれと一体で回転する。このバリア駆動部材６の回転により、該バリア駆動部材６と対向する位置に配置されたバリア羽根９，１０は、バリアカバー１３の開口部１３ａ内に進入して第１レンズユニット５の前面を覆うバリア閉動作を行う。なお、バリア羽根９，１０はそれぞれ、第１鏡筒１の物体側の面に形成された支持軸１ｆ，１ｇによって回動可能に支持されている。
【００２７】
第１鏡筒１に形成された固定軸１ｄ，１ｅにはそれぞれ、開きスプリング７，８の一端が掛けられている。これら開きスプリング７，８の他端はそれぞれ、バリア駆動部材６に形成された固定軸６ｂ，６ｃに掛けられている。開きスプリング７，８は、バリア駆動部材６およびバリア羽根９，１０を開き方向に付勢する。バリア閉動作時には、これら開きスプリング７，８がチャージされる。
【００２８】
また、レンズ鏡筒が沈胴位置からワイド端ポジションに突出動作する際には、第１カム筒２１の駆動端面２１ｇと当接していたバリア駆動部材６の突起６ａがフリーとなり、バリア駆動部材６はチャージされていた開きスプリング７，８の付勢力によって回転する。この回転により、バリア羽根９，１０は、バリアカバー１３の開口部１３ａ外へ退避するよう回動するバリア開動作を行う。
【００２９】
１３はバリアカバーであり、その中央には開口部１３ａが形成されている。バリアカバー１３は、バリア羽根９，１０を第１鏡筒１に対して物体側から支えている。バリアカバー１３は、バヨネット結合によって第１鏡筒１に固定される。
【００３０】
１４はキャップであり、接着によりバリアカバー１３に固定されている。
【００３１】
１１，１２は閉じスプリングであり、その一端はバリア駆動部材６に形成されたフック６ｄ，６ｅに掛けられ、他端はバリア羽根９，１０に形成されたフック９ａ，１０ａに掛けられている。該閉じスプリング１１，１２は、バリア羽根９，１０を閉じ方向に付勢している。
【００３２】
次に、図３を用いて、第２鏡筒ユニットとしての露光機構１６の支持構造について説明する。第２レンズユニット１５は、第１レンズユニット１６の像側に配置されたレンズユニットであり、露光機構１６に支持されている。このため、第２レンズユニット１５は、露光機構１６と一体で光軸方向に移動する。
【００３３】
露光機構１６の外周には、テーパ部を有する２本のカムフォロワ１６ａと、圧縮スプリング１８によってテーパ部が鏡筒径方向外側に向かって付勢された移動カムフォロワ１７とが周方向等間隔で設けられている。これらカムフォロワ１６ａ，１７は、後述する第２直進筒１９に形成された３本の直進溝１９ａを貫通して、後述する第２カム筒２０に形成された３本のカム溝２０ａに係合する。これにより、露光機構１６は、第２カム筒に支持されている。第２カム筒２０が光軸回りで回転すると、露光機構１６はカム溝２０ａのリードに沿って光軸方向に移動する。このとき、露光機構１６のカムフォロワ１６ａと移動カムフォロワ１７は、第２直進筒１９に形成された直進溝１９ａによって回転が阻止されているので、回転することなく光軸方向に移動する。
【００３４】
第２直進筒１９の像側の端部における外周部には、テーパ部を有する３本のカムフォロワ１９ｄが周方向等間隔で圧入固定されている。これらカムフォロワ１９ｄが、第１カム筒２１のカム溝２１ｃと係合することで、第２直進筒１９は第１カム筒２１に支持されている。第１カム筒２１が回転すると、第２直進筒１９は、第１カム筒２１のカム溝２１ｃのリードに沿って光軸方向に移動する。
【００３５】
このとき、第２直進筒１９に形成された２本の直進溝１９ｅが後述する直進板２８（図１３参照）に形成された直進キー２８ａと係合しているので、第２直進筒１９は、光軸回りでの回転が阻止された状態で光軸方向に移動する。
【００３６】
第２カム筒２０は、第２直進筒１９の外周に形成されたフランジ１９ｂと３本の支持爪１９ｃとの間に挟み込まれるようにして、該第２直進筒１９に対して光軸回りで回転可能に支持されている。第２カム筒２０の外周に形成された３本の駆動キー２０ｂは、第１カム筒２１に形成された直進溝２１ｄに係合する。これにより、第１カム筒２１の回転が第２カム筒２０に伝達され、これらは一体的に回転する。
【００３７】
次に、図４から図１４を用いて、第１鏡筒ユニットおよび第２鏡筒ユニットの支持構造について説明する。なお、図１２（ａ），（ｂ），（ｃ）はそれぞれ、沈胴状態、ワイド端ポジションおよびテレ端ポジションでの第１鏡筒１と第１カム筒２１の断面を示している。
【００３８】
第１カム筒２１は、第１レンズユニット５を保持する第１鏡筒１と第２レンズユニット１５を保持する露光機構１６を支持するとともに、第１カム筒２１の回転力を第２カム筒２０に伝達する。この第１カム筒２１は、以下のようにして第１直進筒２２に組み込まれる。
【００３９】
まず、図６および図７に示すように、第１カム筒２１の衝撃吸収突起２１ｅを第１直進筒２２のフランジ部２２ｂに形成された切欠き部２２ｃを貫通させる。そして、第１カム筒２１を少し回転させる。次に、図８および図１０に示すように、第１カム筒２１の支持突起２１ｆを第１直進筒２２の切欠き部２２ｃを貫通させる。そして、第１カム筒２１の支持突起２１ｆを第１直進筒２２のフランジ２２ｂに当接させる。以上で、第１カム筒２１は、第１直進筒２２の内側に回転可能に組み込まれ、第１直進筒２２と一体で光軸方向に移動する。
【００４０】
第１カム筒２１の外周面において、支持突起２１ｆよりも像側に形成された駆動キー２１ｈは、後述する回転筒２５の直進溝２５ａに係合する。これにより、第１カム筒２１には、回転筒２５の回転が伝達され、該回転筒２５と一体で光軸回りで回転する。
【００４１】
第１カム筒２１は、第１鏡筒１と露光機構１６を支持するとともに、第１カム筒２１の回転力を第２カム筒２０に伝達する。第１カム筒２１の外周面には、図６に示すように、ワイド位置からテレ位置までの撮影領域が非直線カムで、非撮影領域が直線カムで形成された３本のカム溝２１ａが形成されている。さらに、該外周面には、カム溝２１ａと同じカム軌跡を有するカム溝２１ｂが、カム溝２１ａよりも物体側に形成されている。前述したように、カム溝２１ａには、カムフォロワ２がガタがほとんどない状態で係合し、カム溝２１ｂには、サブフォロワ３が所定のガタを有した状態で係合する。
【００４２】
また、第１カム筒２１の外周面におけるカム溝２１ａの撮影領域よりも像側の領域（図５にハッチングで示す）には、支持突起２１ｆと異なる位相で衝撃吸収突起２１ｅが設けられている。前述したように、第１鏡筒１が物体側から外力を受けた際、第１鏡筒１に固定されたカムフォロワ２が第１カム筒２１のカム溝２１ａから外れる前に、第１鏡筒１のいずれかの平面部１ｉがこの衝撃吸収突起２１ｅの物体側の面に当接する。
【００４３】
衝撃吸収突起２１ｅは、第１鏡筒１が外力を受けた場合にカムフォロワ２がカム溝２１ａから外れる発生率が高いズームポジション（本実施例では、ワイド端）において、該カム係合の外れを最も効果的に防止する位置に設けられている。具体的には、図１１および図１２（ｂ）に示すように、レンズ鏡筒が最も長く伸長するワイド端ポジションに第１鏡筒１が回転したときに、衝撃吸収突起２１ｅとサブフォロワ３との間にカムフォロワ２が配置されるように位置設定がされている。言い換えれば、ワイド端ポジションにおいて、サブフォロワ３、カムフォロワ２および衝撃吸収突起２１ｅは光軸方向に並ぶ。
【００４４】
また、光軸方向の位置に関しては、衝撃吸収突起２１ｅは、ワイド端ポジションにおいて第１鏡筒１の凹部１ｈ内から像側に出る。そして、第１鏡筒１においてカムフォロワ２およびサブフォロワ３を保持した部分の像側の端面（平面部１ｉのうち最も像側の面、以下、第１平面部という）に僅かなクリアランスＬ１を空けて対向する位置に衝撃吸収突起２１ｅが配置されている。
【００４５】
この状態において、第１鏡筒１に物体側から外力が作用すると、第１鏡筒１の第１平面部１ｉが衝撃吸収突起２１ｅの物体側の端面に物体側から当接する。他のズームポジションおよび非撮影領域では、図１２（ｃ），（ａ）に示すように、衝撃吸収突起２１ｅが第１鏡筒１の内周部に形成された凹部１ｈ，１ｈ′の内方に配置されることで、衝撃吸収突起２１ｅを設けたことによる第１鏡筒１の外径の大型化を回避している。
【００４６】
また、図１２（ｂ），（ｃ）を比較すると分かるように、ワイド端ポジションでは、他のズームポジションに比べて、衝撃吸収突起２１ｅと第１鏡筒１の平面部１ｉとのクリアランスＬ１が小さく設定されている。これにより、ワイド端ポジションでの確実な外力によるカム係合の外れを防止するとともに、ワイド端ポジション以外のズームポジション間でのズーム時に平面部１ｉと衝撃吸収突起２１ｅとの干渉を防止し、スムーズなズーム動作が行われるようにしている。なお、図１２（ａ）に示す沈胴状態では、レンズ鏡筒全体がカメラボディ内に収容されるので、外力に対する強度は撮影時ほど必要ではない。このため、凹部１ｈ′の最奥部の面と衝撃吸収突起２１ｅとの間のクリアランスＬ１は、各ズームポジションでのクリアランスＬ１より大きい。
【００４７】
衝撃吸収突起２１ｅと第１鏡筒１の平面部１ｉとの鏡筒径方向の掛り量（当接量）Ｌ２は、カムフォロワ２と第１カム筒２１のカム溝２１ａとの掛り量Ｌ３と同じかそれより大きく設定する。これにより、第１鏡筒１が外力を受けた際に、衝撃吸収突起２１ｅと平面部１ｉとの当接によって該外力の半分以上を負担し、カムフォロワ２と第１カム筒２１のカム溝２１ａとに作用する外力を軽減している。
【００４８】
また、第１カム筒２１の内周部には、カム溝２１ｃと直進溝２１ｄが形成されている。カム溝２１ｃに第２直進筒１９のカムフォロワ１９ｄがガタがほとんどない状態で係合することで、露光機構１６が安定的に支持される。また、直進溝２１ｄに第２カム筒２０の駆動キー２０ｂが係合することで、第２カム筒２０と第１カム筒２１とが一体回転することができる。
【００４９】
第１直進筒２２は、第１カム筒２１を光軸回りで回転可能に支持するとともに、第１鏡筒１の回転を阻止して直進ガイドを行う。この第１直進筒２２には、テーパ部が第１直進筒２２の外周面に突出するように３本のカムフォロワ２３が圧入固定されている。これらのカムフォロワ２３は、後述する回転筒２５に形成されたカム溝２５ｂに係合している。このため、回転筒２５が回転すると、第１直進筒２２は、回転筒２５に形成されたカム溝２５ｂのリードに沿って光軸方向に移動する。このとき、第１直進筒２２に形成された回転阻止穴２２ｄには、後述する直進板２８の直進キー２８ｂが挿入されている。このため、第１直進筒２２は、回転が阻止された状態で光軸方向に移動する。
【００５０】
キャップ２４は、第１直進筒２２の先端に接着され、第１直進筒２２の変形を防止する。
【００５１】
回転筒２５の先端部にはキャップリング２７が固定されている。該回転筒２５は、固定筒３０によって光軸回りで回転可能に支持されている。回転筒２５の内周面には、３本の直進溝２５ａと３本のカム溝２５ｂが形成されている。また、回転筒２５には、テーパ部が該回転筒２５の外周面に突出するように３本のカムフォロワ２６が圧入固定されている。このカムフォロワ２６が固定筒３０に形成されたカム溝３０ａに係合することで、回転筒２５は固定筒３０によって支持される。
【００５２】
また、回転筒２５におけるカムフォロワ２６よりも物体側には、駆動軸２５ｃが形成されている。該駆動軸２５ｃは、固定筒３０に形成されたカム溝３０ｂを貫通して、固定筒３０の外周に回転可能に配置された駆動筒２９の直進溝２９ａに係合している。駆動軸２５ｃと直進溝２９ａとの係合により、駆動筒２９の回転力が回転筒２５に伝達される。回転力が伝達された回転筒２５は、回転しながら、固定筒３０のカム溝３０ａのリードに沿って光軸方向に移動する。
【００５３】
直進板２８は、回転筒２５と一体で光軸方向に移動する。この直進板２８には、物体側に延びる２本の直進キー２８ａと２本の直進キー２８ｂが形成されている。直進キー２８ａは、第２直進筒１９の直進溝１９ｅに摺動可能に係合する。これにより、第２直進筒１９の回転を阻止する。また、直進キー２８ｂは、前述したように、第１直進筒２２の回転阻止穴２２ｄに挿入されている。これにより、第１直進筒２２の回転が阻止される。
【００５４】
また、直進板２８のフランジ部２８ｂの外周には、径方向に突出する３本の突起２８ｄが形成されている。これら、突起２８ｄが固定筒３０に形成された直進溝ｃに係合することで、直進板２８の回転が阻止される。
【００５５】
駆動筒２９は、固定筒３０の外周面によって光軸回りで回転可能に支持されている。駆動筒２９の外周に形成されたギア部２９ｂは、図１４に示す減速ギア３４と噛み合っている。
【００５６】
固定筒３０は、レンズ鏡筒の本体を構成するベース部材であり、図１４に示すビス３６によって支持地板３１に固定されている。
【００５７】
支持地板３１は、カメラのシャーシに結合固定される。支持地板３１は、固定筒３０、モータ３２および減速ギア３４を支持する。モータ３２は、ビス３３によって支持地板３１に固定され、減速ギア３４は、支持地板３１とカバー３５とによって保持される。
【００５８】
モータ３２の回転力は、該モータ３２の先端に固定されたギア３２ａを介して減速ギア３４に伝達され、さらに減速ギア３４を介して駆動筒２９に伝達される。カバー３５は、駆動筒２９、固定筒３０および減速ギア３４を支持地板３１とともに保持している。
【００５９】
以上説明したように、本実施例では、第１カム筒２１の外周面におけるカム溝２１ａよりも像側の領域の一部に衝撃吸収突起２１ｅを設け、第１鏡筒１には、衝撃吸収突起２１ｅに物体側から当接可能な複数の平面部１ｉ（段付きカム１ａ）を設けた。これにより、第１鏡筒１が物体側から外力を受けた際に、第１鏡筒１の平面部１ｉのいずれかが第１カム筒２１の衝撃吸収突起２１ｅと当接して外力を吸収することができる。したがって、第１鏡筒１に固定されたカムフォロワ２が、第１カム筒２１のカム溝２１ａから外れることを確実に防止することができる。
【００６０】
また、第１鏡筒１が第１カム筒２１に対して最も物体側に移動するワイド端ポジション以外のズームポジションおよび非撮影領域においては、第１カム筒２１の衝撃吸収突起２１ｅが第１鏡筒１の内周部に形成された凹部１ｈ，１ｈ′内に入り込む。さらに言えば、第１鏡筒１において、複数の平面部１ｉ（段付きカム１ａ）は、該第１鏡筒１の周壁部の厚み内に形成されている。したがって、第１カム筒２１の外周面に対して、第１鏡筒１の内周面を近接させることができ、衝撃吸収突起２１ｅを設けたことによる第１鏡筒１の外径増加を回避できる。
【００６１】
さらに、衝撃吸収突起２１ｅと第１鏡筒１の平面部１ｉとの掛り量Ｌ２が、カムフォロワ２と第１カム筒２１のカム溝２１ａとの掛り量Ｌ３以上であるため、第１鏡筒１が外力を受けた際のカムフォロワ２とカム溝２１ａとにかかる負担を軽減できる。
【００６２】
なお、本実施例にて説明した構成は、本発明の実施形態の一例にすぎず、本発明がこれに限定されるわけではない。すなわち、本発明の実施形態は、請求項に記載された内容を満たすものであればどのようなものであってもよい。例えば、上記実施例では、第１の筒部材が第２の筒部材に対して回転する場合について説明したが、本発明は、第２の筒部材が第１の筒部材に対して回転する場合にも適用することができる。また、上記実施例では、第１の筒部材が第２の筒部材の内側に配置されている場合について説明したが、第２の筒部材が第１の筒部材の内側に配置されている場合にも、本発明を適用することができる。
【図面の簡単な説明】
【００６３】
【図１】本発明の実施例であるレンズ鏡筒の第１鏡筒ユニットの構成を示す分解斜視図。
【図２】実施例における第１鏡筒の斜視図。
【図３】実施例における第２鏡筒ユニット（露光機構）の構成を示す分解斜視図。
【図４】実施例における第１鏡筒ユニットおよび第２鏡筒ユニットの支持構造を示す分解斜視図。
【図５】実施例における第１カム筒を示す斜視図。
【図６】実施例における第１カム筒の第１直進筒への組込み方法を説明する分解斜視図。
【図７】実施例における第１カム筒の第１直進筒への組込み途中状態を示す背面図。
【図８】実施例における第１カム筒の第１直進筒への組込み方法を説明する分解斜視図。
【図９】実施例における第１カム筒の第１直進筒への組込み完了状態を示す背面図。
【図１０】実施例における第１カム筒が第１直進筒に支持された状態を示す断面図。
【図１１】実施例におけるワイド端ポジションでの第１カム筒の衝撃吸収突起と第１鏡筒の段付きカムとの関係を示す側面図。
【図１２】実施例におけるカム筒の衝撃吸収突起と第１鏡筒の段付きカムとの関係を示す断面図で、（ａ）は沈胴状態、（ｂ）はワイド端ポジション、（ｃ）はテレ端ポジションを示す。
【図１３】実施例における固定筒から第１鏡筒ユニットまでを示す分解斜視図。
【図１４】実施例におけるレンズ鏡筒と駆動系を示す分解斜視図。
【図１５】実施例のレンズ鏡筒を備えたカメラの外観図。
【符号の説明】
【００６４】
１  第１鏡筒
１ａ  段付きカム
１ｈ，１ｈ′  凹部
１ｉ  平面部
２  カムフォロワ
３  サブフォロワ
５  第１レンズユニット
１５  第２レンズユニット
２１  第１カム筒
２１ａ，２１ｂ，２１ｃ  カム溝
２１ｅ  衝撃吸収突起
２１ｆ  支持突起
２２  第１直進筒
Ｌ１  クリアランス
Ｌ２、Ｌ３  掛り量
【図５】
2007219394.tif 000003
【図１５】
2007219394.tif 000004
【図１】
2007219394.tif 000005
【図２】
2007219394.tif 000006
【図３】
2007219394.tif 000007
【図４】
2007219394.tif 000008
【図６】
2007219394.tif 000009
【図７】
2007219394.tif 000010
【図８】
2007219394.tif 000011
【図９】
2007219394.tif 000012
【図１０】
2007219394.tif 000013
【図１１】
2007219394.tif 000014
【図１２】
2007219394.tif 000015
【図１３】
2007219394.tif 000016
【図１４】
2007219394.tif 000017